(57)【特許請求の範囲】
【請求項１】
可動家具部分（２）のためのエジェクション装置（１）であって、
前記可動家具部分（２）を閉鎖位置（ＳＳ）から開放位置（ＯＳ）に押し出す、前記可動家具部分（２）の押出し時に、当該エジェクション装置（１）の押出し移動行程（Ａ）に対して直角に方向付けられた回転軸（Ｘ）を中心にして回転方向（Ｄ）に回転可能なエジェクションエレメント（４）と、
該エジェクションエレメント（４）に前記可動家具部分（２）の開放方向（ＯＲ）において力を加えるエジェクション蓄力器（５）と、
該エジェクション蓄力器（５）を、前記エジェクションエレメント（４）を介して緊張させるテンショニング装置（６）と、を備えたエジェクション装置（１）において、
前記エジェクション蓄力器（５）の緊張時に前記エジェクションエレメント（４）は、前記可動家具部分（２）の押出し時における回転方向と同じ前記回転方向（Ｄ）に回転可能である
ことを特徴とする、エジェクション装置（１）。
【請求項２】
前記エジェクションエレメント（４）は、前記可動家具部分（２）の押出し時および前記エジェクション蓄力器（５）の緊張時に、全体として一回転である回転移動経路を進み、前記エジェクションエレメント（４）は、前記可動家具部分（２）の押出し時に、前記回転移動経路のほぼ半分を進み、かつ次いで行われる前記エジェクション蓄力器（５）の緊張時に、前記回転移動経路のほぼ残りの半分を進む、請求項１記載のエジェクション装置。
【請求項３】
ハウジングとして形成された保持体（３）が設けられている、請求項１または２記載のエジェクション装置。
【請求項４】
前記エジェクション蓄力器（５）は、一方では前記保持体（３）に、かつ他方では前記エジェクションエレメント（４）に係合している、請求項３記載のエジェクション装置。
【請求項５】
前記テンショニング装置（６）は、連結装置（２６）を介して前記可動家具部分（２）に連結可能である、請求項１から４までのいずれか１項記載のエジェクション装置。
【請求項６】
前記開放方向（ＯＲ）における前記可動家具部分（２）の引張りによって、前記エジェクション蓄力器（５）は前記テンショニング装置（６）により緊張可能である、請求項１から５までのいずれか１項記載のエジェクション装置。
【請求項７】
前記可動家具部分（２）は、前記エジェクションエレメント（４）によって間接的に前記テンショニング装置（６）のテンショニングエレメント（７）を介して、開放位置（ＯＳ）に可動である、請求項１から６までのいずれか１項記載のエジェクション装置。
【請求項８】
前記テンショニング装置（６）を戻し位置（Ｒ）に移動させる戻し蓄力器（１５）が設けられている、請求項１から７までのいずれか１項記載のエジェクション装置。
【請求項９】
前記エジェクションエレメント（４）をロック位置（ＶＳ）においてロックするロック装置（１７）が設けられており、該ロック装置（１７）は、前記閉鎖位置（ＳＳ）の後ろに位置している超過押圧位置（ＵＳ）への前記可動家具部分（２）の超過押圧によって、ロック解除可能である、請求項１から８までのいずれか１項記載のエジェクション装置。
【請求項１０】
家具本体（２２）と、可動家具部分（２）と、該可動家具部分（２）のための、請求項１から９までのいずれか１項記載のエジェクション装置（１）とを備えた家具（２１）。
【発明の詳細な説明】
【技術分野】
【０００１】
本発明は、可動家具部分のためのエジェクション装置であって、可動家具部分を閉鎖位置から開放位置に押し出す、可動家具部分の押出し時に回転方向に回転可能なエジェクションエレメントと、該エジェクションエレメントに可動家具部分の開放方向において力を加えるエジェクション蓄力器と、該エジェクション蓄力器を、エジェクションエレメントを介して緊張させるテンショニング装置と、を備えたエジェクション装置に関する。本発明はさらに、家具本体、可動家具部分およびこのようなエジェクション装置を備えた家具に関する。
【０００２】
家具金物工業においては、例えば引出し、扉または家具フラップのような可動家具部分のための様々な形式のエジェクション装置が、既に何年も前から製造されかつ販売されている。このようなエジェクション装置は、しばしばタッチラッチ機構またはチップオン装置とも呼ばれる。このようなエジェクション装置によって、引出しにおいては家具部分の直線運動が作動させられ、または家具フラップまたは家具扉においては旋回運動が作動させられる。エジェクション装置において実施される運動は、必ずしも、家具部分によって実施される運動移動行程と合致していなくてよい。したがって摺動可能なエジェクションエレメントが旋回可能な家具扉を押し出すこと、または逆の形態も可能である。
【０００３】
旋回可能な、もしくは回転可能に支持されたエジェクションエレメントが家具扉に力を直接加える形態が、欧州特許第１８７５０２１号明細書（EP 1 875 021 B1）に記載されている。このとき開放時にエジェクションエレメントは、ばね力を加えられて回転方向に旋回する。エジェクション蓄力器を再び緊張させるために、閉鎖時に家具扉によってエジェクションエレメントは押圧され、これによってエジェクションエレメントは、本来の回転方向とは逆向きに回転し、これによりエジェクション蓄力器は再び緊張する。この構成の欠点は、特に、エジェクションエレメントが完全に開放された家具扉において今なお押出し位置に留まっていることである。これによってこのエジェクション装置は、家具における什器収納のために、途中に位置することがある。また、場合によっては引込み装置が追加的に設けられている場合に、エジェクション蓄力器が閉鎖時に初めて再び緊張させられるという欠点もある。
【０００４】
本発明の課題は、従来技術に対して改善された、もしくは従来技術に代わるエジェクション装置を提供することにある。
【０００５】
この課題は、請求項１に記載の特徴を備えたエジェクション装置によって解決される。したがって本発明によれば、エジェクション蓄力器の緊張時にエジェクションエレメントは、可動家具部分の押出し時における回転方向と同じ回転方向に回転可能であるようになっている。言い換えれば、つまりエジェクションエレメントは、緊張時においても、押出し後に簡単に同じ方向においてさらに回転する。これによって、可動家具部分が再び緊張のために閉鎖方向に移動させられるまで、待機する必要がなくなる。
【０００６】
基本的には、エジェクションエレメントは緊張時に比較的小さな範囲だけ回転（例えば１／８回転）し、これに対してエジェクションエレメントは押出し時に比較的大きな範囲だけ回転（例えば３／４回転）することが可能である。しかしながらエジェクション蓄力器内に必要な力をもたらすために、種々様々な変換機構が設けられていてよい。つまりエジェクションエレメントが緊張時と押出し時とにおいて等しい角度だけ回転するようになっている構成は不要である。また、エジェクションエレメントが緊張時および押出し時において全部で３６０°回転するような構成も不要である。このことは、単に部分領域にわたってだけ、例えばそれぞれ１／４回転だけ行うことも可能である。しかしながら単純な構成のために、好ましくは、エジェクションエレメントは、可動家具部分の押出し時およびエジェクション蓄力器の緊張時に、全体として一回転である回転移動経路を進み、このときエジェクションエレメントは、可動家具部分の押出し時に、回転移動経路のほぼ半分を進み、かつ次いで行われるエジェクション蓄力器の緊張時に、回転移動経路のほぼ残りの半分を進むようになっている。
【０００７】
可動家具部分は、押出し時に家具部分・開放移動行程に沿って可動である。この家具部分・開放移動行程は、直線（通常は引出しの場合）であっても、または曲線（例えば家具扉または家具フラップの場合）であってもよい。エジェクション装置の押出し移動行程は、可動家具部分の家具部分・開放移動行程とほぼ同一であってよく、かつ直線（例えばエジェクションピストンの場合）であってもまたは曲線（例えばエジェクションレバーの場合）であってもよい。また、エジェクション装置の押出し移動行程が直線であり、これに対して可動家具部分の家具部分・開放移動行程が曲線を描くようになっていてもよい。
【０００８】
家具部分・開放移動行程または押出し移動行程の正確な構成とは無関係に、いずれにせよ好ましくは、エジェクションエレメントは可動家具部分の押出し時に、エジェクション装置の押出し移動行程に対して横方向に方向付けられた回転軸を中心にして回転可能であるようになっている。押出し移動行程からの回転軸の変位は、例えば４５°または６０°であってよい。特に好ましくは、エジェクションエレメントは可動家具部分の押出し時に、押出し移動行程に対してほぼ直角に方向付けられた回転軸を中心にして回転可能であるようになっている。このとき「ほぼ」というのは、曲線を描く押出し移動行程は、まさに押出し移動行程の始めにおいてだけ、前記直角度が与えられていることを意味する。押出し移動行程のさらなる経過において、回転軸の方向付けは、もはや押出し移動行程に対する直角度とは異なっている。
【０００９】
エジェクション装置の簡単な組立てのために、好ましくは保持体が設けられている。この保持体は、例えば取付けプレートおよびカバーを有することができ、これによってエジェクション装置全体は、ハウジングとして形成された保持体内において保護されて配置されている。このような保持体が設けられている場合には、好ましくは、エジェクション蓄力器は、一方では保持体に、かつ他方ではエジェクションエレメントに係合している。
【００１０】
可動家具部分からエジェクション装置への、およびそれとは逆方向の運動伝達を可能にするために、好ましくは、テンショニング装置は、連結装置を介して可動家具部分に連結可能であるようになっている。
【００１１】
エジェクション装置のエジェクション蓄力器の緊張が閉鎖時に、つまり可動家具部分に対する押圧時に行われることは、原則的には排除されることが望まれていない。しかしながら好ましくは、開放方向における可動家具部分の引張りによって、エジェクション蓄力器はテンショニング装置により緊張可能であるようになっている。好ましくは、この引張りによる緊張移動が、エジェクション移動に直接接続している。
【００１２】
エジェクションエレメントは、エジェクション装置の、可動家具部分に直接接触しているエレメントであってもよい。しかしながら好適な実施形態によれば、可動家具部分は、エジェクションエレメントによって間接的にテンショニング装置のテンショニングエレメントを介して、開放位置に可動であるようになっている。つまりエジェクションエレメントは、エジェクション蓄力器によって直接力を加えられる部材を形成している。可動家具部分へのこのエジェクションエレメントの回転移動の伝達は、１つの部材またはその間に配置された複数の部材（例えば伝達機構）を介して実施することができる。
【００１３】
エジェクション蓄力器が可動家具部分における引張り時に緊張させられる場合には、好ましくは、戻し位置にテンショニング装置を移動させる戻し蓄力器が設けられている。
【００１４】
さらに好ましくは、エジェクションエレメントをロック位置においてロックするロック装置が設けられており、このときロック装置は、閉鎖位置の後ろに位置している、即ち閉鎖位置から閉鎖方向に変位した超過押圧位置への可動家具部分の超過押圧によって、ロック解除可能である。このようなロック装置は、例えば、心臓形の摺動軌道において移動可能な制御ピンとして形成されていてよい。好適な実施形態によれば、死点ロック装置が設けられている。
【００１５】
本発明においてはまた、家具本体と、可動家具部分（例えば家具扉、家具フラップまたは引出しとして形成されている）と、該可動家具部分のための、本発明に係るエジェクション装置とを備えた家具に対する保護も求められる。このような家具は、追加的にまた、好ましくは緩衝作用を有する引込み装置を備えることもできる。
【００１６】
次に、本発明のさらなる詳細および利点を、図面を参照しながら図面に示した実施形態について詳説する。
【図面の簡単な説明】
【００１７】
【図１】第１実施形態に係るエジェクション装置を備えた家具を示す図である。
【図２】第１実施形態に係るエジェクション装置を示す分解図である。
【図３】組み立てられた状態におけるエジェクション装置を示す図である。
【図４】第１実施形態に係るエジェクション装置の押出し時および緊張時における運動経過を示す図である。
【図５】第１実施形態に係るエジェクション装置の押出し時および緊張時における運動経過を示す図である。
【図６】第１実施形態に係るエジェクション装置の押出し時および緊張時における運動経過を示す図である。
【図７】第１実施形態に係るエジェクション装置の押出し時および緊張時における運動経過を示す図である。
【図８】第１実施形態に係るエジェクション装置の押出し時および緊張時における運動経過を示す図である。
【図９】第１実施形態に係るエジェクション装置の押出し時および緊張時における運動経過を示す図である。
【図１０】第１実施形態に係るエジェクション装置の押出し時および緊張時における運動経過を示す図である。
【図１１】第１実施形態に係るエジェクション装置の押出し時および緊張時における運動経過を示す図である。
【図１２】第１実施形態に係るエジェクション装置の押出し時および緊張時における運動経過を示す図である。
【図１３】第１実施形態に係るエジェクション装置の押出し時および緊張時における運動経過を示す図である。
【図１４】第１実施形態に係るエジェクション装置の押出し時および緊張時における運動経過を示す図である。
【図１５】第１実施形態に係るエジェクション装置の押出し時および緊張時における運動経過を示す図である。
【図１６】第１実施形態に係るエジェクション装置の押出し時および緊張時における運動経過を示す図である。
【図１７】第１実施形態に係るエジェクション装置の押出し時および緊張時における運動経過を示す図である。
【図１８】第１実施形態に係るエジェクション装置の押出し時および緊張時における運動経過を示す図である。
【図１９】第１実施形態に係るエジェクション装置の押出し時および緊張時における運動経過を示す図である。
【図２０】第１実施形態に係るエジェクション装置の押出し時および緊張時における運動経過を示す図である。
【図２１】第２実施形態に係るエジェクション装置を備えた家具を示す図である。
【図２２】第２実施形態に係るエジェクション装置を示す分解図である。
【図２３】組み立てられた状態におけるエジェクション装置を示す図である。
【図２４】第２実施形態に係るエジェクション装置の運動経過を示す図である。
【図２５】第２実施形態に係るエジェクション装置の運動経過を示す図である。
【図２６】第２実施形態に係るエジェクション装置の運動経過を示す図である。
【図２７】第２実施形態に係るエジェクション装置の運動経過を示す図である。
【図２８】第２実施形態に係るエジェクション装置の運動経過を示す図である。
【図２９】第２実施形態に係るエジェクション装置の運動経過を示す図である。
【図３０】第２実施形態に係るエジェクション装置の運動経過を示す図である。
【図３１】第２実施形態に係るエジェクション装置の運動経過を示す図である。
【図３２】第２実施形態に係るエジェクション装置の運動経過を示す図である。
【図３３】第２実施形態に係るエジェクション装置の運動経過を示す図である。
【図３４】第２実施形態に係るエジェクション装置の運動経過を示す図である。
【図３５】第２実施形態に係るエジェクション装置の運動経過を示す図である。
【図３６】第２実施形態に係るエジェクション装置の運動経過を示す図である。
【図３７】第２実施形態に係るエジェクション装置の運動経過を示す図である。
【００１８】
図１には、家具本体２２と、家具扉として形成された可動家具部分２とを備えた家具２１が示されている。この可動家具部分２は、２つのヒンジ２３を介して家具本体２２に、鉛直な軸線を中心にして旋回可能に支持されている。これらのヒンジ２３のうちの少なくとも１つには、閉鎖運動のための緩衝装置（図示せず）が組み込まれていてよい。家具本体２２には、第１実施形態に係るエジェクション装置１が配置されている。このエジェクション装置１の連結対応部材２４は、可動家具部分２に固定されている。純粋に図示のために、この連結対応部材２４は、直接、エジェクション装置１の領域に示されている。実際にはもちろん、このような連結対応部材２４だけが可動家具部分２に設けられている。基本的には、すべての実施形態において、エジェクション装置１が可動家具部分２に配置されていて、連結対応部材２４が家具本体２２に配置されている、もしくは形成されていることが可能である。これによってエジェクション装置１はいわば、家具本体２２において突き放す作用を有する。
【００１９】
図２には、第１実施形態に係るエジェクション装置１が、分解図で示されている。このエジェクション装置１は、ベースエレメントとして保持体３を有しており、この保持体３を介してエジェクション装置１は家具２１に取り付けられている。図示されていないカバーと一緒に、この保持体３は、エジェクション装置１の残りのコンポーネントのためのハウジングを形成している。保持体３内には、テンショニングエレメント７が移動可能に支持されている。このテンショニングエレメント７の移動運動は、緩衝装置３６によって緩衝される。戻し蓄力器１５は、一方ではテンショニングエレメント７に、かつ他方では保持体３に係合している。テンショニングエレメント７は、ストッパとして形成された運動伝達エレメント８と一緒に、テンショニング装置６を形成している。さらにエジェクションエレメント４が、回転軸Ｘを中心にして、保持体３の回転軸受５７内に回転可能に支持されている。引張りばねとして形成されたエジェクション蓄力器５は、一方ではエジェクションエレメント・蓄力器ベース２９を介してエジェクションエレメント４に、かつ他方では保持体３の保持体・蓄力器ベース３２に係合している。変位エレメント（Auslenkelement）３８は、回転軸受ジャーナル５８を介してテンショニングエレメント７に旋回可能に支持されている。変位エレメント３８とテンショニングエレメント７との間には、追加的に、引張りばねとして形成された変位蓄力器３９が設けられている。さらに連結装置２６が設けられている。この連結装置２６は、主として連結部材２５と連結対応部材２４とによって形成される。連結部材２５は、テンショニングエレメント７の案内軌道２８内に移動可能に支持されている。連結兼連結解除エレメント２７もまた、この案内軌道２８内に移動可能に配置されている。さらに連結レバー４１が設けられており、この連結レバー４１は、テンショニングエレメント７の回転軸受４４内に回転可能に支持されており、一方では連結部材２５の長孔４８内において案内されていて、かつ他方では、連結対応部材ストッパ４３の端部に枢着結合されている。さらに、引張りばねとして形成された連結蓄力器４０が設けられており、この連結蓄力器４０は、一方では連結兼連結解除エレメント２７に係合し、かつ他方では連結部材２５に係合している。さらに、同様に引張りばねとして形成された連結レバー蓄力器４２が設けられている。この連結レバー蓄力器４２は、一方では連結レバー４１に係合し、かつ他方ではテンショニングエレメント７に係合している。さらに、保持体３に結合可能なヘッド部分３７が設けられている。
【００２０】
図３には、第１実施形態に係るエジェクション装置１が、組み立てられた状態で示されている。既に図３に示した図面から良好に認識できるように、保持体・蓄力器ベース３２およびエジェクションエレメント・蓄力器ベース２９は、エジェクションエレメント４の回転軸Ｘおよび作用線Ｗを含む平面内に位置している。さらに連結兼連結解除エレメント２７に形成されたストッパ４５も示されている。さらにまたこの図３においては、エジェクションエレメント４が、テンショニングエレメント７におけるストッパとして形成された作動装置３５に接触していることが認識できる。
【００２１】
図４には、図３に示したエジェクション装置１が平面図で示されている。可動家具部分２に固定された連結対応部材２４は、このとき可動家具部分２の位置を示している。したがって可動家具部分２は閉鎖位置ＳＳにある。ロック装置１７は、ロック位置ＶＳにあり、このロック位置ＶＳにおいてエジェクション蓄力器５の作用線Ｗは、回転軸Ｘを通って延びている。作用線Ｗの作用方向は、矢印によって示されていて、閉鎖方向ＳＲを指している。この作用線Ｗは回転軸Ｘを通って延びているので、緊張させられたエジェクション蓄力器５の力を発揮することはできない。これによってエジェクションエレメント４は、いわば死点において保持される。保持体・蓄力器ベース３２（保持体３を含む）、エジェクション蓄力器５およびエジェクションエレメント４は、これによって一緒にロック装置１７を形成している。連結装置２６は、連結部材２５が連結対応部材２４と連結されているので、連結位置Ｋにある。
【００２２】
図４に示された位置を起点として閉鎖方向ＳＲに、可動家具部分２が押圧されると、この可動家具部分２は、図５に示された超過押圧位置ＵＳに達する。このとき連結対応部材２４を介して、テンショニングエレメント７も同様に閉鎖方向ＳＲに一緒に移動させられ、これによって作動装置３５のストッパは、エジェクションエレメント４を回転方向Ｄに、つまり反時計回り方向に、回転軸Ｘを中心にして回転させる。したがってこの超過押圧によって回転軸Ｘと作用線Ｗとは、互いに間隔をおいて位置する相対的なロック解除位置ＥＳに達する。これによってロック装置１７はロック解除される。
【００２３】
図５に示されたロック解除位置を起点として、エジェクション蓄力器５は弛緩することができ、これによってエジェクションエレメント４は、さらに回転方向Ｄに回転する（図６参照）。これによってエジェクションエレメント４の、エジェクションエレメント・蓄力器ベース２９とは反対側の端部は、テンショニングエレメント７に形成されたエジェクションストッパ４６と接触する。これに基づいて、テンショニングエレメント７全体は開放方向ＯＲに保持体３に対して相対的に移動させられ、これによってまた可動家具部分２は、たとえ僅かに開放されるとしても、開放位置ＯＳに達する。同時にエジェクションエレメント４もまた変位エレメント３８を、時計回り方向に変位蓄力器３９の力に抗して旋回させる。
【００２４】
図７においてエジェクション蓄力器５はさらに弛緩しており、これによって家具部分２（連結対応部材２４によって再現されている）は、さらに開放位置ＯＳへと移動させられている。可動家具部分２は、これによって間接的にエジェクションエレメント４によってテンショニングエレメント７および連結部材２５を介してエジェクトされる。テンショニングエレメント７は開放方向ＯＲに移動するので、引張りばねとして形成された戻し蓄力器１５もまた緊張し始める。
【００２５】
図８において、エジェクションエレメント４は四分の一回転している。エジェクション蓄力器５は、既にほぼ半分弛緩している。可動家具部分２は開放位置ＯＳにあり、ロック装置１７はロック解除位置ＥＳにあり、かつ連結装置２６は連結位置Ｋにある。変位蓄力器３９は、完全に緊張させられている。
【００２６】
図９によればエジェクションエレメント４は既にさらに移動させられているので、エジェクションエレメント４の、エジェクションエレメント・蓄力器ベース２９とは反対側の端部もまた、再び逆向きに（つまりこの場合右に向かって）移動させられている。これにより変位蓄力器３９もまた再び弛緩することができ、これによって変位エレメント３８はエジェクションエレメント４に追従させられる。
【００２７】
図９と図１０との間においてエジェクション装置１は、ロック位置ＶＳとは反対側の死点が得られる位置（図示せず）に達し、この死点において保持体・蓄力器ベース３２、エジェクションエレメント・蓄力器ベース２９および回転軸Ｘは、平面図で見て一列に位置している。この中立位置もしくは死点位置を起点として、エジェクションエレメント４はしかしながらさらに移動するので、変位蓄力器３９はさらに弛緩し、これによって変位エレメント３８はエジェクションエレメント４を、図１０に示された位置へと移動させる。この位置においてエジェクション装置１の押出し移動行程Ａは完全に終了する。したがってこの位置から、可動家具部分２がアクティブに引っ張られる緊張移動行程Ｓが始まる。テンショニングエレメント７は、連結装置２６を介して可動家具部分２に連結されているので、エジェクションエレメント４もまた、図１１に示されているように、ストッパとして形成された運動伝達エレメント８を介して開放方向ＯＲに移動させられる。これによってエジェクション蓄力器５の緊張時に、エジェクションエレメント４は、可動家具部分２の押出し時における回転方向と同じ回転方向Ｄ（反時計回り方向）において回転させられる。
【００２８】
図１２によればエジェクションエレメント４は、運動伝達エレメント８によってなおさらに回転軸Ｘを中心にして回転方向Ｄに回転させられている。
【００２９】
図１３において最終的に、テンショニング装置６の緊張移動行程Ｓが終了している。これによってエジェクション装置１は、開放移動行程Ｏ（押出し移動行程Ａと緊張移動行程Ｓとから成る）だけ開放方向ＯＲに移動している。同時にエジェクションエレメント４も完全に１回転しており、これによって再びロック位置ＶＳが得られており、このロック位置ＶＳにおいてエジェクション蓄力器５の作用線Ｗは、回転軸Ｘを通って延びている。戻し蓄力器１５は、完全に緊張している。連結兼連結解除エレメント２７におけるストッパ４５は、ヘッド部分３７に接触しており、これによって、連結兼連結解除エレメント２７によって形成された、連結装置２６用の制御装置のための、予め設定された開放移動行程ＶＯが得られているもしくは進められている。連結兼連結解除エレメント２７の先端４７は、なお連結部材２５の最前位の領域にあり、これによって連結部材２５のヘッド領域はなお拡開されており、もしくはヘッド領域の、互いに間隙だけ間隔をおいて位置する両方の突出部は、互いに向かってなお曲がることができない。ヘッド部材２５のヘッド領域と連結対応部材２４の収容領域との間における連結箇所Ｋは、形状結合式（formschluessig）の保持部によって与えられている。図１３において良好に認識できるように、エジェクションエレメントの回転軸Ｘは、エジェクション装置１の押出し移動行程Ａに対して直角に方向付けられている。
【００３０】
図１３に示されたこの位置を起点として、可動家具部分２がさらに引っ張られると、連結装置２６の離反制御された連結解除が行われる（図１４参照）。最初に連結部材２５を介して、さらにテンショニングエレメント７が開放方向ＯＲに移動させられる。しかしながら制御装置を形成する連結兼連結解除エレメント２７は、ヘッド部分３７に接触しているので、テンショニングエレメント７と一緒に連結部材２５だけが、開放方向ＯＲにおいて保持体３に対して相対的に移動する。これによって連結兼連結解除エレメント２７の先端４７は、連結部材２５のヘッド領域から離れ、これによりこのヘッド領域は、ほとんど僅かしか拡開されなくなる、もしくはもはや拡開されなくなる。これによりヘッド領域の突出部は互いに向かって曲がることができる。これによって連結解除位置ＥＫが得られ、連結部材２５のヘッド領域と連結対応部材２４の収容領域との間においては、もはや単にルーズな結合状態しか存在しない。これによりもはや拡開していない連結部材２５は、連結対応部材２４から図１４に示されているように既に解離することができる。連結部材２５に対する連結兼連結解除エレメント２７の相対運動時に、連結蓄力器４０は一方で連結部材２５に係合しかつ他方において連結兼連結解除エレメント２７に係合しているので、この連結蓄力器４０もまた緊張する。
【００３１】
連結対応部材２４が、連結部材２５から完全に解離されるや否や、可動家具部分２は自由可動状態（Freilauf）になる。同時に連結蓄力器４０もまた再び弛緩することができ、これによって連結部材２５は、閉鎖方向ＳＲにおいてテンショニングエレメント７に対して相対的に移動させられる。これによって連結レバー４１もまた、回転軸受４４を中心にして旋回する。この移動と共に連結対応部材ストッパ４３もまた、連結レバー蓄力器４２が弛緩することによって、テンショニングエレメント７から進出させられる。連結部材２５の戻り移動時に、この連結部材２５のヘッド領域は連結部材案内４９の側壁の間に達し、これによって連結部材２５のヘッド領域の互いに間隔をおいて位置する部分が、互いに対して押圧される。これによって連結兼連結解除エレメント２７の先端４７は、連結部材２５内において前方に向かって完全には移動することができない。これにより連結蓄力器４０は、完全にではなく、単にほぼ半分だけ弛緩することができる。
【００３２】
しかしながら連結部材２５を完全に連結部材案内４９内に進入させるために、図１６に示されているように連結レバー蓄力器４２は弛緩し、連結部材２５がテンショニングエレメント７のストッパ５９に接触するまで、連結レバー４１を旋回させる。これによって連結対応部材ストッパ４３も完全に進出させられている。連結兼連結解除エレメント２７の先端４７は、なお完全には連結部材２５の最前位の領域に位置していない。
【００３３】
図１６から、もしくは既に図１５から、戻し蓄力器１５の弛緩も始まっており、これによってまず、図１７に示された位置が得られる。
【００３４】
さらなる続きにおいて、弛緩する戻し蓄力器１５を介して、テンショニングエレメント７はさらに図１８に示されている位置にまで進入移動させられ、この進入移動は、最終的に図１９において戻し位置Ｒが得られるまで行われる。図１８から図１９への間に、この戻し運動は緩衝装置３６によって緩衝される。可動家具部分２はいまなお開放位置ＯＳにある。ロック装置１７はロック位置ＶＳにある。
【００３５】
最終的に図２０に示されているようにまた可動家具部分２が、閉鎖されると、まず連結対応部材２４が連結対応部材ストッパ４３と接触する。これによってまず連結部材２５が連結レバー４１の回転運動によって開放方向ＯＲに移動させられ、これによって連結部材２５の、最初は拡開していないヘッド領域は、連結対応部材２４の収容領域内に係合する。次いで連結部材２５は連結部材案内４９の側面の間においては狭窄作用をもってもはや保持されていないので、図２０に示されているように、連結蓄力器４０もまた弛緩しており、これによって連結兼連結解除エレメント２７の先端４７は、再び完全に、連結部材２５のヘッド領域内に押し込まれており、かつこれによってこのヘッド領域を拡開させる。これによって図２０におけるように、連結装置２６の連結位置Ｋが得られる。この図２０は、また再び図４に示された出発位置に相当している。
【００３６】
図２１には、家具本体２２および可動家具部分２を備えた家具２１が、エジェクション装置１の第２実施形態と共に示されている。本実施形態においても可動家具部分２は、同様にヒンジ２３を介して家具本体２２に枢着結合されている。可動家具部分２には、エジェクション装置１の連結対応部材２４が取り付けられている。
【００３７】
図２２に示された分解図においてエジェクション装置１の第２実施形態が詳細に示されている。本実施形態においても保持体３が設けられており、この保持体３は、図示されていないカバーと一緒に、エジェクション装置１の残りのコンポーネントのためのハウジングを形成することができる。保持体３内には、テンショニングエレメント７が移動可能に支持されている。このテンショニングエレメント７は、緩衝装置３６によって緩衝されて保持体３に可動に支持されている。戻し蓄力器１５を介してテンショニングエレメント７は、保持体３に結合されている。テンショニングエレメント７内には、連結兼連結解除エレメント２７のための案内軌道２８が設けられている。この連結兼連結解除エレメント２７は、連結蓄力器４０によって左方向においてテンショニングエレメント７に対して予荷重をかけられている。連結蓄力器４０は、この場合ほぼＶ字形の引張りばねとして形成されており、このときこの引張りばねは、その両方の端部でテンショニングエレメント７内において保持されていて、かつ中央領域において連結兼連結解除エレメント２７に接触している。さらに、保持体３に結合された連結エレメントテンショナ５６が設けられており、この連結エレメントテンショナ５６は、連結兼連結解除エレメント２７のストッパ４５に接触可能である。さらに本実施形態においても、ヘッド部分３７が保持体３に取り付けられている。テンショニングエレメント７には、全部で３つのエジェクションストッパ４６が設けられており、これらのエジェクションストッパ４６は、エジェクションエレメント４に配置されたエジェクションローラ５１に対応する。エジェクションエレメント４自体は、回転軸Ｘを介して保持体３の回転軸受５７に回転可能に支持されている。さらにエジェクションエレメント４には、テンショニングローラ５２が配置されている。偏心ピン５０が、エジェクションエレメント４に偏心的に配置されている。エジェクション蓄力器５は、一方ではエジェクションエレメント・蓄力器ベース２９を介してエジェクションエレメント４に結合されていて、かつ他方では保持体・蓄力器ベース３２を介して保持体３に結合されている。さらにまた作動装置３５が設けられており、この作動装置３５は、本実施形態では、作動エレメント５５、作動ばね５４および作動ヨーク５３によって形成されている。この作動ヨーク５３は、保持体３の凹部６０内に保持されている。
【００３８】
図２３には、エジェクション装置１の第２実施形態が組み立てられた状態で示されている。このとき連結兼連結解除エレメント２７のストッパ４５は、連結エレメントテンショナ５６に接触している。さらに図面から分かるように、保持体・蓄力器ベース３２およびエジェクションエレメント・蓄力器ベース２９は、図示のロック位置ＶＳにおいて、エジェクションエレメント４の回転軸Ｘおよび作用線Ｗを含む平面に位置している。
【００３９】
図２４には、図２３に適合するエジェクション装置１の平面図が示されている。連結対応部材２４の位置は、閉鎖位置ＳＳにある可動家具部分２の位置に相当している。さらにロック装置１７はロック位置ＶＳにある。それというのは、エジェクション蓄力器５の作用線Ｗは回転軸Ｘを通って延びているからである。作動ヨーク５３はその端面で、偏心ピン５０に接触している。またこの作動ヨーク５３の屈曲領域（Kniebereich）には、作動エレメント５５の端部領域が接触している。作動エレメント５５の他端部は、連結対応部材２４に接触している。連結部材２５のヘッド領域は、連結兼連結解除エレメント２７の先端４７によって確かに拡開されているが、しかしながら連結部材２５のヘッド領域は、連結対応部材２４の収容領域に位置していないので、連結装置２６はなお連結解除位置ＥＫにある。
【００４０】
図２４に示されたこの閉鎖位置ＳＳを起点として、いまや閉鎖方向ＳＲにおいて可動家具部分２が押圧されると、可動家具部分２は図２５に示された超過押圧位置ＵＳに達する。作動エレメント５５が連結対応部材２４に接触していて、また可撓性の作動ヨーク５３がその屈曲領域を介して作動エレメント５５に接触しているので、作動ヨーク５３の端面は偏心ピン５０に押圧され、これによってエジェクションエレメント４は、回転方向Ｄにおいて回転軸Ｘを中心にして回転させられる。これによって回転軸Ｘと作用線Ｗとは、互いに間隔をおいて位置する相対的なロック解除位置ＥＳに達する。これによってロック装置１７はロック解除される（図示された実施形態において、ロックのためには常にエジェクションエレメント・蓄力器ベース２９が移動させられる。しかしながらまた原則的には、超過押圧時に回転軸Ｘが、作用線Ｗに対して間隔をおいた位置に達するように、移動させられる態様も可能である。これによって作用線Ｗは、保持体３に関して不変のままであり、しかしながら回転軸Ｘは、保持体３に対して相対的に移動させられる。）。
【００４１】
家具２１の操作者が、可動家具部分２をもはや押圧しなくなるや否や、図２６に示されているようにエジェクション蓄力器５はさらに弛緩し始める。このエジェクション蓄力器５は、エジェクションエレメント４を連行し、このエジェクションエレメント４をさらに回転方向Ｄにおいて反時計回り方向に回転させる。これによって３つのエジェクションローラ５１のうちの第１のエジェクションローラ５１は、３つのエジェクションストッパ４６のうちの第１のエジェクションストッパ４６と接触し、これによってテンショニングエレメント７は、エジェクションエレメント４によって開放方向ＯＲにおいて移動させられる。連結部材２５は、テンショニングエレメント７と一体に形成されているので、連結部材２５のヘッド領域を介して、連結対応部材２４もまた、かつこの連結対応部材２４と共に可動家具部分２も、開放方向ＯＲに移動させられる。これによって可動家具部分２は、たとえ僅かに開放されるとしても、開放位置ＯＳにある。ロック装置１７は、ロック解除位置ＥＳにある。連結装置２６は、今なお連結解除位置ＥＫにある。図２６によれば、テンショニングエレメント７は、開放方向ＯＲにおいて保持体３に対して相対的に既に幾分移動させられている。しかしながら連結エレメントテンショナ５６は、保持体３に固定されていて、ストッパ４５はこの連結エレメントテンショナ５６に接触しているので、制御装置を形成する連結兼連結解除エレメント２７は、テンショニングエレメント７と共に開放方向ＯＲにおいて一緒に移動しない。これによって連結兼連結解除エレメント２７の先端４７は、連結部材２５のヘッド領域から離れる。連結部材２５のヘッド領域は、これによって既に僅かに拡開される。
【００４２】
図２７によれば先端４７は、連結部材２５に対して相対的になおさらに戻されているので、連結部材２５のヘッド領域は、もはや拡開されておらず、このヘッド領域は、その両方の突出部の互いに対して屈曲可能な構成に基づいて、連結対応部材２４における収容領域内に滑り込むことができる。そしてこれによって初めて、連結部材２５と連結対応部材２４との間におけるルーズな結合部が得られる。案内軌道２８に沿ったテンショニングエレメント７に対する連結兼連結解除エレメント２７の相対運動によって、図２７に示されているように、連結蓄力器４０は緊張させられている。図２７によれば、エジェクションエレメント４もまた既にさらに回転させられており、これによって第２のエジェクションローラ５１が、第２のエジェクションストッパ４６と接触する。
【００４３】
図２８に示されているようにエジェクションエレメント４のさらなる回転時に、弾性の連結エレメントテンショナ５６の一端部が、エジェクションエレメント４と接触し、これによって連結エレメントテンショナ５６は幾分左に向かって屈曲される。これによって連結兼連結解除エレメント２７のストッパ４５は、もはや連結エレメントテンショナ５６によって保持されなくなり、これによって連結蓄力器４０は弛緩することができる。これによって連結兼連結解除エレメント２７もまた再びテンショニングエレメント７に対して相対的に開放方向ＯＲに移動し、これにより連結兼連結解除エレメント２７の先端４７は、連結部材２５のヘッド領域内に達し、このヘッド領域を拡開する。これによって確実な形状結合式の保持部が得られ、ひいては連結部材２５と連結対応部材２４との間における連結位置Ｋが得られ、この連結位置Ｋは、連結部材２５に対する連結兼連結解除エレメント２７の相対運動なしには解離不能である。
【００４４】
図２９によれば、エジェクションエレメント４の半回転が終了している。これによりエジェクション蓄力器５は完全に弛緩しており、エジェクションエレメント４は、再び中立位置にある。エジェクション装置１の押出し移動行程Ａは、これによって終了している。戻し蓄力器１５は、既にほぼ半分弛緩している。この図２９を起点として、いまや可動家具部分２は開放方向ＯＲに引っ張られる。
【００４５】
図３０において既に始まっているこのさらなる引張り運動によって、テンショニングエレメント７はさらに開放方向ＯＲにおいて、保持体３に対して相対的に移動させられる。第３のエジェクションローラ５１はいまなお第３のエジェクションストッパ４６と接触しているので、エジェクションエレメント４もまたエジェクション蓄力器５のこの緊張時に、可動家具部分２の押出し時と同じ回転方向Ｄにさらに回転させられる。同時にテンショニングローラ５２もまた、運動伝達エレメント８と接触する。ストッパとして形成されたこの運動伝達エレメント８は、テンショニングエレメント７と一緒に、エジェクション蓄力器５のためのテンショニング装置６を形成している。エジェクション蓄力器５は、図３０において既に再び部分的に緊張している。
【００４６】
図３１によれば、可動家具部分２はなおさらに開放方向ＯＲに移動させられており、かつ同時にエジェクションエレメント４はさらに回転方向Ｄにおいて回転させられており、これによって偏心ピン５０は、作動ヨーク５３の側面に接触していて、この作動ヨーク５３をその可撓性に基づいて既に僅かに右に向かって屈曲している。このことは、右上に示された詳細部分図において良好に認識することができる。
【００４７】
図３２において可動家具部分２は、なおさらに開放方向ＯＲにおいて移動させられており、これによってエジェクションエレメント４は、なおさらに回転させられている。これによって偏心ピン５０は、作動ヨーク５３をさらに明瞭に屈曲している（右上の詳細図参照）。
【００４８】
さらなる移動時に、偏心ピン５０は、最終的に作動ヨーク５３を通過し、これによって両方のコンポーネントは、図３３に示されているように再びその出発位置に達する。作動ばね５４によって作動エレメント５５の位置も再び、作動エレメント５５が間隙値（Spaltmass）だけ保持体３から突出するように適合させられる。図３３によれば、押出し移動行程Ａと一緒にエジェクション装置１の開放移動行程Ｏを生ぜしめる緊張移動行程Ｓも終了している。図３２から図３３へのエジェクション装置１の移動時に、連結兼連結解除エレメント２７のストッパ４５は、ヘッド部分３７と接触する。これにより予め設定された開放移動行程ＶＯが得られる。これによってこの連結兼連結解除エレメント２７もまた、連結蓄力器４０の荷重を受けながらテンショニングエレメント７に対して相対的に移動させられ、これによって連結兼連結解除エレメント２７の先端４７は、連結部材２５のヘッド領域から進出し、このヘッド領域の突出部をもはや拡開しない。これによって連結装置２６の連結解除位置ＥＫが得られる。しかしながら連結部材２５のヘッド領域と連結対応部材２４の収容領域との間におけるルーズな簡単に解離可能な結合は、なお存在している。
【００４９】
図３３に示されたこの位置を起点としてさらに、可動家具部分２が引っ張られると、連結対応部材２４は連結部材２５から、ヘッド領域の突出部の相互の屈曲によって解離し、そしてこのルーズな結合状態も消滅する。
【００５０】
連結解除位置ＥＫが得られた後で、戻し蓄力器１５もまた再び弛緩することができ、まずテンショニングエレメント７を閉鎖方向ＳＲにおいて、図３５に示された位置に達するまで移動させる。この移動と同時に、もしくはストッパ４５がもはやヘッド部分３７に接触しなくなった時点から、連結蓄力器４０もまた弛緩することができる。これによって連結兼連結解除エレメント２７の先端４７は、連結部材２５のヘッド領域内に移動させられ、これによってヘッド領域は再び拡開される。
【００５１】
図３６において戻し蓄力器１５は完全に弛緩している。この戻し運動は緩衝装置３６のピストンを介して緩衝される。これによって戻し装置１３もしくは戻し蓄力器１５の戻し位置Ｒが得られる。可動家具部分２は、連結対応部材２４によって再現されて、しかしながらなお開放位置ＯＳにある。
【００５２】
最終的に図３７に示されているように、またなお可動家具部分２が閉鎖方向ＳＲにおいて移動させられると、可動家具部分２は閉鎖位置ＳＳに達する。この閉鎖位置ＳＳにおいて連結対応部材２４は、再び作動エレメント５５に接触している。ロック装置１７はロック位置ＶＳにある。連結装置２６は連結解除位置ＥＫにある。図３７は、再び図２４に示された出発位置に相当している。
【００５３】
最後にさらに付言すると、実施形態においては同じ機能を有するコンポーネントには、同じ参照符号が付されている。また実施形態に対する利点および述べられた可能性は、それぞれ他の実施形態に対しても同様に言える。
【図１】
0006657264.tif 000002
【図２】
0006657264.tif 000003
【図３】
0006657264.tif 000004
【図４】
0006657264.tif 000005
【図５】
0006657264.tif 000006
【図６】
0006657264.tif 000007
【図７】
0006657264.tif 000008
【図８】
0006657264.tif 000009
【図９】
0006657264.tif 000010
【図１０】
0006657264.tif 000011
【図１１】
0006657264.tif 000012
【図１２】
0006657264.tif 000013
【図１３】
0006657264.tif 000014
【図１４】
0006657264.tif 000015
【図１５】
0006657264.tif 000016
【図１６】
0006657264.tif 000017
【図１７】
0006657264.tif 000018
【図１８】
0006657264.tif 000019
【図１９】
0006657264.tif 000020
【図２０】
0006657264.tif 000021
【図２１】
0006657264.tif 000022
【図２２】
0006657264.tif 000023
【図２３】
0006657264.tif 000024
【図２４】
0006657264.tif 000025
【図２５】
0006657264.tif 000026
【図２６】
0006657264.tif 000027
【図２７】
0006657264.tif 000028
【図２８】
0006657264.tif 000029
【図２９】
0006657264.tif 000030
【図３０】
0006657264.tif 000031
【図３１】
0006657264.tif 000032
【図３２】
0006657264.tif 000033
【図３３】
0006657264.tif 000034
【図３４】
0006657264.tif 000035
【図３５】
0006657264.tif 000036
【図３６】
0006657264.tif 000037
【図３７】
0006657264.tif 000038